(57)【要約】      （修正有）【課題】持ち運び時に、邪魔になることなく小さなスペースで容易に自動車等に積載できる組立型テーブルを提供する。【解決手段】第１脚部２及び第２脚部３と、第１脚部２及び第２脚部３を回動可能に連結し、第１脚部２及び第２脚部３が側面視において略Ｉ字状に重なる折り畳み状態と第１脚部２及び第２脚部３が側面視において略Ｘ字状に立ち上がる立設状態とを選択的に実現可能とする連結部材４と、立設状態となった第１脚部２及び第２脚部３の上部に略水平に載置される略長方形の天板部５と、天板部５の下部において前記長方形の長辺方向の一方側に凸設され、略Ｘ字状になった第１脚部２の上端部を前記長辺方向の他方側に収納して係止する第１凸部６と、天板部５の下部において前記他方側に凸設され、略Ｘ字状になった第２脚部３の上端部を前記一方側に収納して係止する第２凸部７とを有する。【選択図】図１
0003233222.tif 000002
【実用新案登録請求の範囲】
【請求項１】
略長方形の枠型形状をそれぞれ備えた第１脚部及び第２脚部と、前記第１脚部及び前記第２脚部における前記長方形の長辺の略中点同士を回動可能に連結し、当該第１脚部及び当該第２脚部が側面視において略Ｉ字状に重なる折り畳み状態と当該第１脚部及び当該第２脚部が側面視において略Ｘ字状に立ち上がる立設状態とを選択的に実現可能とする、連結部材と、前記連結部材により前記立設状態となった前記第１脚部及び前記第２脚部の上部に略水平に載置される、略長方形の天板部と、前記天板部の下部において前記長方形の長辺方向の一方側に凸設され、前記立設状態において前記略Ｘ字状になった前記第１脚部の上端部を前記長辺方向の他方側に収納して係止する第１凸部と、前記天板部の下部において前記他方側に凸設され、前記立設状態において前記略Ｘ字状になった前記第２脚部の上端部を前記一方側に収納して係止する第２凸部とを有することを特徴とする組立型テーブル。
【請求項２】
請求項１記載の組立型テーブルにおいて、前記第１凸部及び前記第２凸部のそれぞれは、前記天板の前記長方形の短辺方向に延設された棒状部材であることを特徴とする組立型テーブル。
【請求項３】
請求項１又は請求項２記載の組立型テーブルにおいて、前記第１脚部及び前記第２脚部のうち一方の脚部は、他方の脚部の前記枠型形状の内径寸法よりも小さい、外径寸法を備えることを特徴とする組立型テーブル。
【請求項４】
請求項１乃至請求項３のいずれか１項記載の組立型テーブルにおいて、前記第１脚部及び前記第２脚部は、前記長方形の長辺の前記略中点となる部位に、第１貫通孔及び第２貫通孔をそれぞれ有し、前記連結部材は、前記第１貫通孔及び前記第２貫通孔を貫通するボルトと、前記ボルトに対し螺合可能なナットと、を含む、手動操作により締結可能な手動連結部材であることを特徴とする組立型テーブル。
【考案の詳細な説明】
【技術分野】
【０００１】
本考案は、組立型テーブルに関する。
【背景技術】
【０００２】
従来、折り畳みすることのできるテーブル付き折り畳みスタンドが知られている（例えば、特許文献１参照）。特許文献１の図５及び図６、及び段落［００２４］〜［００２６］等に記載されているように、この従来技術のテーブル付き折り畳みスタンドでは、外脚１と天板６とが蝶番７によって繋がれ、外脚１と内脚２と開いた際に、天板６に設けられた当止具８によって内脚２が固定されている。
【先行技術文献】
【特許文献】
【０００３】
【特許文献１】特開２００９−２７９３００号公報
【考案の概要】
【考案が解決しようとする課題】
【０００４】
上記従来技術のテーブル付き折り畳みスタンドでは、テーブルの脚と天板が蝶番で連結されており、取り外しができないため、持ち運ぶときに大きなスペースが必要となる。
【０００５】
本考案の目的は、持ち運び時に、邪魔になることなく小さなスペースで容易に自動車等に積載できる組立型テーブルを提供することにある。
【課題を解決するための手段】
【０００６】
上記目的を達成するために、本願考案は、略長方形の枠型形状をそれぞれ備えた第１脚部及び第２脚部と、前記第１脚部及び前記第２脚部における前記長方形の長辺の略中点同士を回動可能に連結し、当該第１脚部及び当該第２脚部が側面視において略Ｉ字状に重なる折り畳み状態と当該第１脚部及び当該第２脚部が側面視において略Ｘ字状に立ち上がる立設状態とを選択的に実現可能とする、連結部材と、前記連結部材により前記立設状態となった前記第１脚部及び前記第２脚部の上部に略水平に載置される、略長方形の天板部と、前記天板部の下部において前記長方形の長辺方向の一方側に凸設され、前記立設状態において前記略Ｘ字状になった前記第１脚部の上端部を前記長辺方向の他方側に収納して係止する第１凸部と、前記天板部の下部において前記他方側に凸設され、前記立設状態において前記略Ｘ字状になった前記第２脚部の上端部を前記一方側に収納して係止する第２凸部と、を有することを特徴とする組立型テーブルである。
【０００７】
本願考案の組立型テーブルによれば、組立時にＸ字状となる第１及び第２脚部と、その上に載置される天板部と、に分解することができる。しかも第１及び第２脚部は、折りたたんだ時にＩ字状となる。この結果、持ち運び時には、略長方形の天板部と、略Ｉ字状に折り重なった状態の第１及び第２脚部とを例えばバッグ等に収納して、邪魔になることなく小さなスペースで容易に自動車等に積載して運搬することができる。
【０００８】
立設状態では、Ｘ字状になった第１及び第２脚部の上端部が天板部の第２凸部及び第１凸部にそれぞれ係止されることで、係止した状態からＸ字状がそれ以上広がらないようにすることができる。この結果、特に第１及び第２脚部と天板部との固定構造を設けなくても、第１及び第２脚部を設置面への安定的な支持構造として設置することができるとともに、天板部を堅固にそれら第１及び第２脚部上に取り付けることができる。
【考案の効果】
【０００９】
本考案の組立型テーブルによれば、持ち運び時に、邪魔になることなく小さなスペースで容易に自動車等に積載できる。
【図面の簡単な説明】
【００１０】
【図１】本実施形態に係る組立型テーブルの斜視図である。
【図２】図１の組立型テーブルを左前方において下方向から見た斜視図である。
【図３】図１の組立型テーブルを右前方において下方向から見た斜視図である。
【図４】本実施形態の第１脚部と第２脚部の詳細構造を示す斜視図である。
【図５】本実施形態の天板部の詳細構造を示す斜視図である。
【図６】組立型テーブルの組み立て方を示す概念図である。
【図７】持ち運び時の組立型テーブルの斜視図である。
【図８】持ち運び時組立型テーブルの斜視図である。
【考案を実施するための形態】
【００１１】
以下、本考案の一実施形態を図面を参照して説明する。
【００１２】
図１に、組立型テーブル１を前方から見た際の斜視図を示す。組立型テーブル１は、接地面（図示なし）に組み立てられた状態で設置されている。図１に示される方角は接地面に垂直に向かう下方向と、下方向と逆方向である上方向からなる上下方向と、前記上下方向にそれぞれ直交する左右方向及び前後方向である。同様の方角が図２〜図７にも適宜適用される。
【００１３】
組立型テーブル１は、略長方形の枠型形状をそれぞれ備えた第１脚部２及び第２脚部３を有する。
【００１４】
組立型テーブル１は、第１脚部２及び第２脚部３における前記長方形の長辺の略中点同士を回動可能に連結し、第１脚部２及び第２脚部３が側面視において略Ｉ字状に重なる折り畳み状態と第１脚部２及び第２脚部３が側面視において略Ｘ字状に立ち上がる立設状態とを選択的に実現可能とする、連結部材４を有する。この図では、前方向からの側面視において第１脚部２及び第２脚部３が略Ｘ字状に立ち上がった立設状態となっている。
【００１５】
組立型テーブル１は立設状態となった第１脚部２及び第２脚部３の上部に略水平に載置される略長方形の天板部５を有する。
【００１６】
組立型テーブル１は、天板部５の下部において凸設され、前記立設状態において第１脚部２の上端部を係止する第１凸部６と、第２脚部３の上端部を係止する第２凸部７とを有する。
【００１７】
連結部材４はボルト８と、ボルト８に対し螺合可能なナット９とを含む、手動操作により締結可能な手動連結部材である。
【００１８】
組立型テーブル１の素材としては、特に限定されるものではないが、例えば木材を用いることができる。
【００１９】
この図では、天板部５は４枚の短冊状の板を図１の前後方向に４枚並べ、第１凸部６及び第２凸部７を構成する木材にネジ止めすることで形成されているが、天板部５の構成は特に限定されず一枚の板で形成されていてもよい。
【００２０】
図２は組立型テーブル１を図１の左前方において下方向から見た斜視図である。第１凸部６は天板部５の下部において略長方形状の天板部５の長辺方向（図２の左右方向）の一方側（図２の左方向側）に凸設され、立設状態において略Ｘ字状になった第１脚部２の上端部を前記長辺方向の他方側（図２の右方向側）に収納して係止している。
【００２１】
図３は組立型テーブル１を図１の右前方において下方向から見た斜視図である。第２凸部７は天板部５の下部において略長方形状の天板部５の長辺方向（図３の左右方向）の一方側（図３の右方向側）に凸設され、立設状態において略Ｘ字状になった第２脚部３の上端部を前記長辺方向の他方側（図３の左方向側）に収納して係止している。
【００２２】
組立型テーブル１は持ち運び及び収納時のために、第１脚部２及び第２脚部３と、天板部５とに分解することができる。次に、それぞれの構造について説明する。
【００２３】
図４は第１脚部２と第２脚部３の詳細構造を示す斜視図である。第１脚部２と第３脚部３とは、連結部材４で連結されている。第１脚部２と第２脚部３は略長方形の枠型形状をそれぞれ備え、連結部材４は前記長方形の長辺の略中点同士を回動可能に連結し、第１脚部２及び第２脚部３が側面視において略Ｉ字状に重なる折り畳み状態と第１脚部２及び第２脚部３が側面視において略Ｘ字状に立ち上がる立設状態とを選択的に実現可能となっている。
【００２４】
図５は天板部５の詳細構造を示す斜視図である。図５は、天板部５の第１凸部６及び第２凸部７が設けられた側を前方向に向けて接地面（図示なし）に立てて置き、前方向から見たときの斜視図である。
【００２５】
第１凸部６及び第２凸部７のそれぞれは、略長方形状の天板部５の前記長方形の短辺方向（図５の上下方向）に延設された棒状部材１０である。この図では、棒状部材１０は木製の角棒である。棒状部材は他の素材や形状であってもよい。
【００２６】
第１凸部６及び第２凸部７の前記短辺方向の長さＹ′は、天板部５の前記長方形の短辺の長さＹよりも短くなっている。
【００２７】
図６は組立型テーブル１の組み立て方を示す概念図である。まず、折り畳み状態にある第１脚部２と第２脚部３とを左右方向に少し開き、上方向から天板部５を乗せてから、第１脚部２と第２脚部３とが第１凸部６と第２凸部７に係止するまでめいっぱい左右方向に開く。このような操作により、立設状態となった第１脚部２と第２脚部３との上に略水平上に天板部５が載置され、組立型テーブル１が組み立てられた状態となる。
【００２８】
組立型テーブル１を分解する時には、上記と逆の操作を行えばよく、天板部５を上方向に持ち上げて取り外してから第１脚部２及び第２脚部３を折り畳み状態とすればよい。
【００２９】
図７は持ち運び時における組立型テーブル１の斜視図である。組立型テーブル１は第１脚部２及び第２脚部３と、天板部５とが分解された状態で重ねられている。
【００３０】
互いに連結された第１脚部２及び第２脚部３はこの図の前後方向における側面視において略Ｉ字状に重なる折り畳み状態となっている。天板部５は第１凸部６及び第２凸部７が設けられた側を上方向に向けて接地面（図示なし）に平置きされている。天板部５の上に折り畳み状態の第１脚部２及び第２脚部３が重ねて置かれている。この状態で車に乗せたり、バッグに入れる等して持ち運んだり、あるいは収納しておくことができる。
【００３１】
図８は、図７の組立型テーブル１を図７の上方向から見た斜視図である。
【００３２】
第１脚部２及び第２脚部３のうち一方の脚部は、他方の脚部の枠型形状の内径寸法よりも小さい外径寸法を備えている。この図では、第１脚部２の枠型形状の外形寸法１３は、第２脚部３の枠型形状の内径寸法１４よりも小さく、折り畳み状態において第２脚部３の枠型形状の内側に第１脚部２の枠型形状がすっぽりと収まるようになっている。
【００３３】
この図では、更に、第１脚部２の枠型形状の内径寸法よりも、第１凸部６及び第２凸部７の前後方向における長さＹ′（天板部５の短辺方向すなわちこの図の前後方向の長さ）が短くなっている。これにより収納時に天板部５と第１脚部２と第２脚部３とを重ねて置いた時に第２脚部２の内側に第１凸部６と第２凸部７とがすっぽりと収まるようになっている。
【００３４】
略長方形の枠型形状をそれぞれ備えた第１脚部２及び第２脚部３は、前記長方形の長辺の前記略中点となる部位に、第１貫通孔１１及び第２貫通孔１２をそれぞれ有する。連結部材４は、第１貫通孔１１及び第２貫通孔１２を貫通するボルト８と、ボルト８に対し螺合可能なナット９とを含む、手動操作により締結可能な手動連結部材である。
【００３５】
この図では、持ち運び時においても、第１脚部２及び第２脚部３を連結したまま持ち運べるようになっているが、連結部４は手で締結可能なボルト８やナット９から構成されているので、第１脚部２と第２脚部３とをさらに分解して持ち運んだり収納することも可能である。
【００３６】
＜実施形態の効果＞
本実施形態の組立型テーブル１は、組立時に略Ｘ字状となる第１脚部２及び第２脚部３と、その上に載置される天板部５とに分解することができる。しかも第１脚部２及び第２脚部３は折りたたんだ時に略Ｉ字状となる。この結果、持ち運び時には、略長方形の天板部５と、略Ｉ字状に折り重なった状態の第１脚部２及び第２脚部３とを例えばバッグ等に収納して、邪魔になることなく小さなスペースで容易に自動車等に積載して運搬することができる。
【００３７】
立設状態では、略Ｘ字状になった第１脚部２及び第２脚部３の上端部が天板部５の第２凸部６及び第１凸部７にそれぞれ係止されることで、係止した状態から略Ｘ字状がそれ以上広がらないようにすることができる。この結果、特に第１脚部２及び第２脚部３と天板部５との固定構造を設けなくても、第１脚部２及び第２脚部３を設置面への安定的な支持構造として設置することができるとともに、天板部５を堅固にそれら第１脚部２及び第２脚部３上に取り付けることができる。
【００３８】
また、本実施形態では特に、天板部５の裏においてある程度の長さをもつ棒状部材１０を延設してこれを第１凸部６及び第２凸部７とすることで、それらを局所的な突起部とする場合に比べ、第１脚部２及び第２脚部３の上端部を確実にかつ安定的に係止することができる。
【００３９】
また、本実施形態では特に、折りたたみ時に、一方の脚部（本実施形態では第１脚部２）が他方の脚部（本実施形態では第２脚部３）の内側にすっぽり収まる態様で折り畳まれるので、折りたたまれた状態での厚さ方向寸法を確実に低減し、より扁平な形状とすることができる。これにより、持ち運び時や収納時にスペースを取ることが少ない。
【００４０】
また、本実施形態では、特に道具や工具を用いることなく、ユーザの手操作により第１脚部２と第２脚部３とを組み付けて連結し、略Ｘ字状の構造を実現することができる。また手操作にて第１脚部２と第２脚部３との連結を切り離し、分解することも可能である。
【００４１】
また、本実施形態では特に、第１凸部６と第２凸部７とが天板部５の短辺の長さよりも短い寸法であるため、天板部５を乗せた時のずれを抑制できる。またさらに、第１凸部６と第２凸部７とが天板部５の第１脚部２の枠型形状の内径寸法よりも短い寸法であるため、持ち運び時に天板部５と折り畳み状態の第１脚部２及び第２脚部３を重ねた際に、他の脚部の内側にすっぽり収まるようになっており、厚さ方向の寸法を低減してより扁平な形状とすることができる。このため持ち運びや収納の際にスペースを取ることが少ない。
【００４２】
なお、以上の説明において、「垂直」「平行」「平面」等の記載がある場合には、当該記載は厳密な意味ではない。すなわち、それら「垂直」「平行」「平面」とは、設計上、製造上の公差、誤差が許容され、「実質的に垂直」「実質的に平行」「実質的に平面」という意味である。
【００４３】
なお、以上の説明において、外観上の寸法や大きさが「同一」「等しい」「異なる」等の記載がある場合は、当該記載は厳密な意味ではない。すなわち、それら「同一」「等しい」「異なる」とは、設計上、製造上の公差、誤差が許容され、「実質的に同一」「実質的に等しい」「実質的に異なる」という意味である。
【００４４】
また、以上既に述べた以外にも、上記実施形態や各変形例による手法を適宜組み合わせて利用しても良い。
【００４５】
その他、一々例示はしないが、本考案は、その趣旨を逸脱しない範囲内において、種々の変更が加えられて実施されるものである。
【符号の説明】
【００４６】
１                組立型テーブル
２                第１脚部
３                第２脚部
４                連結部材
５                天板部
６                第１凸部
７                第２凸部
８                ボルト
９                ナット
１０              棒状部材
１１              第１貫通孔
１２              第２貫通孔
１３              第１脚部の枠型形状の外形寸法
１４              第２脚部の枠型形状の内径寸法
【図１】
0003233222.tif 000003
【図２】
0003233222.tif 000004
【図３】
0003233222.tif 000005
【図４】
0003233222.tif 000006
【図５】
0003233222.tif 000007
【図６】
0003233222.tif 000008
【図７】
0003233222.tif 000009
【図８】
0003233222.tif 000010